(57)【要約】      （修正有）【課題】連写可能枚数や撮影可能枚数をユーザに通知することができ、撮影レンズと撮像素子とが内蔵されたカメラヘッドがカメラ本体に着脱自在に装着されるカメラシステムを提供することを目的とする。【解決手段】被写体光が通過する撮像光学系、被写体光を読み取って画像データを取得する撮像素子、撮像素子における読み取りの能力を表わした読取情報を送信する読取情報送信部、および画像データを送信する画像送信部を備えたカメラヘッドと、カメラヘッドが着脱自在に装着されるマウント部、画像データを受信する画像受信部、所定の画像処理を行う画像処理部、画像データを記録媒体に記録する画像記録部、読取情報を受信する読取情報受信部、記録媒体に記録可能な画像データの画像数を算出する画像数算出部を備えたカメラ本体と、カメラヘッドおよび／またはカメラ本体に付属した、画像数算出部で算出された画像数を表示する表示装置とを備えた。【選択図】        図３
2006128933.tif 000002
【特許請求の範囲】
【請求項１】
被写体光が通過する撮像光学系、該撮像光学系を通って結像する被写体光を読み取って画像データを取得する撮像素子、該撮像素子における読み取りの能力を表わした読取情報を送信する読取情報送信部、および該撮像素子で取得された画像データを送信する画像送信部を備えたカメラヘッドと、
前記カメラヘッドが着脱自在に装着されるマウント部、画像データを受信する画像受信部、該画像受信部で受信された画像データに基づいて所定の画像処理を行う画像処理部、該画像データを記録媒体に記録する画像記録部、前記読取情報を受信する読取情報受信部、および該読取情報受信部で受信した読取情報に基づいて、前記記録媒体に記録可能な画像データの画像数を算出する画像数算出部を備えたカメラ本体と、
前記カメラヘッドおよび／または前記カメラ本体に付属した、前記画像数算出部で算出された画像数を表示する表示装置とを備えたことを特徴とするカメラシステム。
【請求項２】
前記カメラ本体の画像記録部が、可搬性の記録媒体に画像データを記録するものであることを特徴とする請求項１記載のカメラシステム。
【請求項３】
前記カメラ本体の画像記録部が、第１の記録媒体に画像データを一旦記録し、該第１の記録媒体に記録された画像データを、該第１の記録媒体における記録速度よりも遅い記録速度を有する第２の記録媒体に記録するものであり、
前記カメラ本体の画像数算出部が、前記第１の記録媒体に記録可能な画像データの画像数を算出するものであることを特徴とする請求項１記載のカメラシステム。
【発明の詳細な説明】
【技術分野】
【０００１】
本発明は、被写体光を結像する撮影光学系と被写体光を読み取って画像データを取得する撮像素子とが搭載されたカメラヘッドと、カメラヘッドが着脱自在に装着され、画像データに所定の画像処理を施すカメラ本体とを備えたカメラシステムに関する。
【背景技術】
【０００２】
従来、交換式の撮影レンズを、撮像素子が内蔵されたカメラ本体に装着して用いるレンズ交換式デジタルカメラが知られている。このレンズ交換式デジタルカメラは、撮影レンズによって結像された被写体光が、カメラ本体側に備えられた撮像素子で受光されて撮影画像データが生成されるため、従来、銀塩フィルムに撮影画像を記録するフィルム式の一眼レフカメラで使用されていた交換式の撮影レンズを再利用することができる。
【０００３】
しかし、例えば、低解像度で小型な撮像素子が内蔵されたカメラ本体に、高価で光学性能が優れた大型の撮影レンズを装着すると、撮影レンズによって被写体光が精度良く結像されるが、撮像素子ではその被写体光を高精度に読み取ることができず、撮影レンズの性能を活かし切れないという問題がある。
【０００４】
この点に関し、特許文献１や特許文献２には、撮影レンズと撮像素子とが内蔵されたカメラヘッドをカメラ本体に装着するヘッド交換式デジタルカメラについて記載されている。これら特許文献１や特許文献２に記載された技術によると、撮影レンズの大きさや光学性能に適したＣＣＤを予めカメラヘッド内に備えておくことによって、撮影レンズの性能を活かした撮影を行って、高画質な撮影画像を取得することができる。
【０００５】
ところで、デジタルカメラには、通常、被写体が撮影されて生成された撮影画像データを一旦記録しておく一時メモリと、保存用に撮影画像データを記録する、ユーザによってデジタルカメラ内に装填される記録メディア（以下では、この記録メディアを保存用メモリと称する）とが用意されている。この一時メモリとしては、保存用メモリよりも記録速度に優れているが、デジタルカメラの電源が切られると記録されたデータが消滅する揮発性の記録媒体が適用されることが一般的である。
【０００６】
例えば、デジタルカメラで被写体が連写されたときには、次々に生成される撮影画像データが一旦、記録速度が速い一時メモリに記録されていき、一時メモリに記録された撮影画像データが順次に保存用メモリに読み出されていく。このように、撮影画像データを記録速度が速い一時メモリを介して保存用メモリに記録することによって、所定時間内に、より多くの撮影画像データを記録することができるようになり、デジタルカメラの連写可能枚数が増加する。
【０００７】
ここで、一度に連写することができる撮影画像の枚数は、一時メモリに記録することができる撮影画像の枚数であり、デジタルカメラで撮影することができる撮影画像の枚数は、保存用メモリに記録することができる撮影画像の枚数である。通常のデジタルカメラでは、デジタルカメラに搭載されたＣＣＤの画素数に基づいて撮影画像データのデータサイズが算出され、さらに、その撮影画像データのデータサイズと一時メモリの容量とから連写可能枚数が算出され、撮影画像データのデータサイズと保存用メモリの残容量とから撮影可能枚数が算出される。ユーザは、液晶画面を見て連写可能枚数や撮影可能枚数を確認することができ、撮影可能枚数が残りわずかであるときには、予め新しい保存用メモリを用意しておくことができる。
【特許文献１】特開平８−１７２５６１号公報
【特許文献２】特開２０００−１７５０８９号公報
【発明の開示】
【発明が解決しようとする課題】
【０００８】
しかし、特許文献１や特許文献２に記載されたヘッド交換式カメラでは、撮影レンズと撮像素子とがカメラヘッドにセットで備えられているため、撮影レンズを交換すると撮像素子もいっしょに交換されてしまう。このため、撮像素子の画素数が変わってしまって撮影画像データのデータサイズを算出することができず、連写可能枚数や撮影可能枚数をユーザに通知することができないという問題がある。
【０００９】
本発明は、上記事情に鑑み、連写可能枚数や撮影可能枚数をユーザに通知することができる、撮影レンズと撮像素子とが内蔵されたカメラヘッドがカメラ本体に着脱自在に装着されるカメラシステムを提供することを目的とする。
【課題を解決するための手段】
【００１０】
上記目的を達成する本発明のカメラシステムは、被写体光が通過する撮像光学系、撮像光学系を通って結像する被写体光を読み取って画像データを取得する撮像素子、撮像素子における読み取りの能力を表わした読取情報を送信する読取情報送信部、および撮像素子で取得された画像データを送信する画像送信部を備えたカメラヘッドと、
カメラヘッドが着脱自在に装着されるマウント部、画像データを受信する画像受信部、画像受信部で受信された画像データに基づいて所定の画像処理を行う画像処理部、画像データを記録媒体に記録する画像記録部、読取情報を受信する読取情報受信部、および読取情報受信部で受信した読取情報に基づいて、記録媒体に記録可能な画像データの画像数を算出する画像数算出部を備えたカメラ本体と、
カメラヘッドおよび／またはカメラ本体に付属した、画像数算出部で算出された画像数を表示する表示装置とを備えたことを特徴とする。
【００１１】
尚、本発明にいうカメラヘッドは、被写体光が通過する撮像光学系と、被写体光を読み取って画像データを取得する撮像素子とが同じ装置内に搭載された一体型のカメラヘッドであってもよく、撮像光学系が搭載された光学ユニットと、光学ユニットに着脱自在に装着される、撮像素子が搭載されたアダプタとで構成された分離型のカメラヘッドであってもよい。
【００１２】
本発明のカメラシステムによると、カメラヘッドに備えられた撮像素子における読み取りの能力を表わした、例えば、撮像素子の画素数、解像度、読み取りの深さ（画像の１画素を表現するために必要なデータ量において）などといった読取情報がカメラ本体に伝えられ、カメラ本体では、その読取情報に基づいて記録媒体に記録可能な画像データの画像数が算出されて、算出された画像数が表示装置に表示される。ユーザは、表示画面に表示された画像数を確認することによって、すでに記録媒体の容量いっぱいに画像データが記録されており、撮影して得られた画像データを記録媒体に記録することができないなどという不具合を未然に回避することができる。
【００１３】
また、本発明のカメラシステムにおいて、上記カメラ本体の画像記録部が、可搬性の記録媒体に画像データを記録するものであることが好ましい。
【００１４】
被写体が撮影されて生成された画像データは、カメラに装填された可搬性の記録媒体に記録されて保存されることが一般的である。画像記録部において、可搬性の記録媒体に画像データが記録されることによって、画像数算出部では、その可搬性の記録媒体に新たに記録可能な画像データの画像数が算出される。ユーザは、表示画面に表示された画像数を確認することで、あと何枚の画像を撮影することができるかを容易に認識することができる。
【００１５】
また、本発明のカメラシステムにおいて、上記カメラ本体の画像記録部が、第１の記録媒体に画像データを一旦記録し、その第１の記録媒体に記録された画像データを、第１の記録媒体における記録速度よりも遅い記録速度を有する第２の記録媒体に記録するものであり、
カメラ本体の画像数算出部が、第１の記録媒体に記録可能な画像データの画像数を算出するものであることも好ましい。
【００１６】
画像データが高速な記録速度を有する第１の記録媒体に一旦記録された後、その第１の記録媒体に記録された画像データが第２の記録媒体に記録されることによって、連写撮影が可能になる。また、画像数算出部で第１の記録媒体に記録可能な画像データの画像数が算出されて、その画像数が表示画面に表示されることによって、ユーザは、カメラシステムにおける連写可能枚数を容易に認識することができる。
【発明の効果】
【００１７】
本発明によれば、連写可能枚数や撮影可能枚数をユーザに通知することができる、撮影レンズと撮像素子とが内蔵されたカメラヘッドがカメラ本体に着脱自在に装着されるカメラシステムを提供することができる。
【発明を実施するための最良の形態】
【００１８】
以下、本発明の実施形態について説明する。
【００１９】
図１は、本発明の一実施形態が適用されたカメラシステムの分解図である。
【００２０】
図１に示すカメラシステム１には、撮影レンズとＣＣＤとが内蔵された複数種類のカメラヘッド１０＿１，１０＿２，…，１０＿ｎが用意されており、それら複数種類のカメラヘッドのうちいずれかの種類のカメラヘッドが選択されて使用される。以下の説明においては、複数種類のカメラヘッド１０＿１，１０＿２，…，１０＿ｎを代表してカメラヘッド１０が選択されたものとして説明を行う。
【００２１】
カメラシステム１は、ＣＣＤ１０２（図１では図示せず。図２参照）やレンズ１０１（図１では図示せず。図２参照）などが搭載されたカメラヘッド１０が、背面に撮影画像やメニュー画面などを表示するＬＣＤ２０６（図１では図示せず。図２参照）が設けられたカメラ本体２０に着脱自在に装着されて構成されている。カメラ本体２０は、本発明にいうカメラ本体の一例にあたり、カメラヘッド１０＿１，１０＿２，…，１０＿ｎは、本発明にいうカメラヘッドの一例にそれぞれ相当する。
【００２２】
カメラヘッド１０にはヘッドマウントコネクタ１０ａが設けられており、このヘッドマウントコネクタ１０ａが、カメラ本体２０の前面に設けられた本体マウント２０ａに着脱自在に嵌合する。本体マウント２０ａは、本発明にいうマウント部の一例に相当する。
【００２３】
図２は、図１に示すカメラシステム１の内部構成図である。
【００２４】
まずは、カメラヘッド１０について説明する。
【００２５】
このカメラヘッド１０を構成する各種要素は、カメラ本体２０に備えられたＭＰＵ２０２によって統括的に制御されている。カメラヘッド１０には、フォーカスレンズやズームレンズなどといったレンズ１０１、レンズ１０１の絞りを調整するアイリス１０１ａ、レンズ１０１によって結像された被写体光を受光して、被写体光を表わす被写体信号を生成するＣＣＤ１０２、被写体信号の増幅やゲイン調整などを行うとともに、アナログ信号である被写体信号をデジタルの画像データに変換してカメラ本体２０に送信するＡ／Ｄ変換部１０４、ＭＰＵ２０２からの指示に応じて、Ａ／Ｄ変換部１０４での処理強度を制御する電子ボリューム部１０５、ＣＣＤ１０２やＡ／Ｄ変換部１０４に向けてタイミング信号を発するタイミングジェネレータ１０３、レンズ１０１のＦ値などといったレンズ情報や、ＣＣＤ１０２の画素数や感度などといったＣＣＤ情報などが記録されたＥＥＰＲＯＭ１０６、ＥＥＰＲＯＭ１０６に記録された各種情報を取得してカメラ本体２０のＭＰＵ２０２に送るメモリコントローラ１０６ａが備えられている。このＥＥＰＲＯＭ１０６は、カメラシステム１の電源が切られても記録されている情報が消去されない不揮発性の記録媒体である。ＣＣＤ１０２は、本発明にいう撮像素子の一例にあたり、レンズ１０１とアイリス１０１ａとを合わせたものは、本発明にいう撮像光学系の一例にあたる。また、Ａ／Ｄ変換部１０４は、本発明にいう画像送信部の一例にあたり、メモリコントローラ１０６ａは、本発明にいう読取情報送信部の一例に相当する。
【００２６】
続いて、カメラ本体２０について説明する。
【００２７】
このカメラ本体２０を構成する各種要素も、ＭＰＵ２０２によって統括的に制御されている。カメラ本体２０には、カメラヘッド１０から画像データを取得して、画像データに圧縮処理などといった各種処理を施す信号処理部２０１、カメラシステム１の各種要素を制御するとともに、カメラヘッド１０からＣＣＤ１０２の画素数を受信し、その画素数と、記録メディア３０の残容量とに基づいて、記録メディア３０に新たに記録可能な撮影画像の記録可能枚数を算出するＭＰＵ２０２、プログラムが記録されたり、カメラヘッド１０から送られてきた画像データが一時的に記録されるＤＲＡＭ２０３、ＬＣＤ２０６での表示を制御する表示制御部２０４、メニュー画面や、撮影画像や、ＭＰＵ２０２から送られてくる記録可能枚数などを表示するＬＣＤ２０６、記録メディア３０が着脱自在に装填されて、その記録メディア３０へのデータの記録を制御するメディアコネクタ２０７が備えられている。信号処理部２０１は、本発明にいう画像受信部、および画像処理部それぞれの一例にあたり、ＭＰＵ２０２は、本発明にいう画像数算出部の一例に相当する。また、メディアコネクタ２０７は、本発明にいう画像記録部の一例にあたり、ＬＣＤ２０６は、本発明にいう表示装置の一例に相当する。
【００２８】
ＥＥＰＲＯＭ２０５および記録メディア３０は、カメラシステム１の電源が切られても記録されている情報が消去されない不揮発性の記録媒体であり、ＤＲＡＭ２０３は、カメラシステム１の電源が切られると、記録されていた情報が消去される揮発性の記録媒体である。ＤＲＡＭ２０３は、記録メディア３０よりも記録速度が速く、記録メディア３０は持ち運び自在な小型の記録媒体である。カメラヘッド１０で生成された画像データは信号処理部２０１に送信され、信号処理部２０１を介してＤＲＡＭ２０３に一旦記録される。ＤＲＡＭ２０３に記録された画像データは、順次に記録メディア３０に送られて、記録メディア３０で記録される。このＤＲＡＭ２０３は、本発明にいう第１の記録媒体の一例にあたり、記録メディア３０は、本発明にいう第２の記録媒体の一例に相当する。
【００２９】
本実施形態のカメラシステム１は、基本的には以上のように構成されている。
【００３０】
ここで、本実施形態のカメラシステム１においては、電源が投入されると、ＬＣＤ２０６に記録可能枚数が表示される。以下では、記録可能枚数を表示するための処理について説明する。
【００３１】
図３は、電源が投入されてから記録可能枚数が表示されるまでの一連の処理を示すフローチャートである。
【００３２】
ユーザによって電源スイッチ（図示しない）が入れられると、カメラシステム１に電源が投入される（図３のステップＳ１０１）。
【００３３】
カメラシステム１の内部では、ＭＰＵ２０２からの指示によって、カメラヘッド１０のメモリコントローラ１０６ａがＥＥＰＲＯＭ１０６からＣＣＤ１０２に関するＣＣＤ情報を取得する。さらに、メモリコントローラ１０６ａは、ＣＣＤ情報をカメラ本体２０のＭＰＵ２０２に送信する（図３のステップＳ１０２）。
【００３４】
ＭＰＵ２０２において、ＣＣＤ情報の受信に失敗したときには（図３のステップＳ１０２：ＮＯ）、ＭＰＵ２０２は、表示制御部２０４を介してＬＣＤ２０６に「ＣＣＤ情報受信エラー」と表示させ（図３のステップＳ１０９，ステップＳ１１０）、カメラシステム１の電源を切る（図３のステップＳ１１１）。
【００３５】
また、ＭＰＵ２０２において、ＣＣＤ情報が受信されたときには（図３のステップＳ１０２：ＹＥＳ）、ＭＰＵ２０２は、メディアコネクタ２０７を介して記録メディア３０の残容量を取得する（図３のステップＳ１０３）。
【００３６】
記録メディア３０がメディアコネクタ２０７に装填されていないなどして、記録メディア３０の残容量が取得されなかったときには（図３のステップＳ１０３：ＮＯ）、ＭＰＵ２０２は、表示制御部２０４を介してＬＣＤ２０６に「メディア容量取得エラー」と表示させ（図３のステップＳ１０９，ステップＳ１１０）、カメラシステム１の電源を切る（図３のステップＳ１１１）。
【００３７】
また、記録メディア３０の残容量が取得されたときには（図３のステップＳ１０３：ＹＥＳ）、ユーザからの指示の入力が待機される。
【００３８】
ユーザが、カメラシステム１に設けられた各種スイッチなどを使って、通常撮影モードや風景撮影モードなどといった撮影モード、閃光発光の有無、画像データの圧縮率、撮影画像の画素数などを設定すると、それらの設定内容がＭＰＵ２０２に伝えられる。
【００３９】
ＭＰＵ２０２は、ユーザによって設定された撮影画像の画素数と、ＣＣＤ情報に含まれるＣＣＤ１０２の画素数とを比較し（図３のステップＳ１０４）、ＣＣＤ１０２の画素数の方が大きいときには（図３のステップＳ１０４：ＹＥＳ）、ユーザによって設定された撮影画像の画素数と、画像データの圧縮率と、記録メディア３０の残容量とから、記録メディア３０に新たに記録することができる、圧縮後の画像データが表わす画像の記録可能枚数を算出する（図３のステップＳ１０５）。さらに、ＭＰＵ２０２は、ＬＣＤ２０６に記録可能枚数を表示させる（図３のステップＳ１０６）。
【００４０】
また、ＣＣＤ１０２の画素数がユーザによって設定された撮影画像の画素数以下であったときには（図３のステップＳ１０４：ＮＯ）、ＭＰＵ２０２において、ＣＣＤ１０２の画素数と、画像データの圧縮率と、記録メディア３０の残容量に基づいて、圧縮後の画像データが表わす画像の記録可能枚数が算出され（図３のステップＳ１０７）、ＬＣＤ２０６に記録可能枚数が表示される（図３のステップＳ１０８）。
【００４１】
ユーザは、ＬＣＤ２０６に表示された記録可能枚数を確認することによって、記録メディアにあと何枚の撮影画像を記録することができるのかを認識することができ、記録メディアの残容量がないのに撮影を行ってしまい、画像データを記録することができないという不具合を未然に防ぐことができる。
【００４２】
以上で、本発明の第１実施形態の説明を終了し、次に、本発明の第２実施形態の説明を行う。第１実施形態のカメラシステム１と第２実施形態のカメラシステムとは、ほぼ同様な構成を有するため、第１実施形態の説明で使用した図２を第２実施形態の説明でも使用し、第１実施形態と第２実施形態との相違点についてのみ説明する。
【００４３】
第１実施形態のカメラシステム１では、ＬＣＤ２０６に記録可能枚数が表示されたが、本実施形態のカメラシステムでは、ＬＣＤ２０６に連写可能枚数が表示される。
【００４４】
図４は、電源が投入されてから連写可能枚数が表示されるまでの一連の処理を示すフローチャートである。
【００４５】
図３のステップＳ１と同様にして、カメラシステム１に電源が投入されると（図４のステップＳ２０１）、図３のステップＳ１０２と同様にして、カメラヘッド１０のＥＥＰＲＯＭ１０６に記録されたＣＣＤ情報がカメラ本体２０に送信される（図４のステップＳ２０２）。
【００４６】
カメラ本体２０のＭＰＵ２０２において、ＣＣＤ情報が受信されなかったときには（図４のステップＳ２０２：ＮＯ）、ＬＣＤ２０６に「ＣＣＤ情報受信エラー」と表示され（図４のステップＳ２０９，ステップＳ２１０）、カメラシステム１の電源が切られる（図３のステップＳ２１１）。
【００４７】
また、ＣＣＤ情報が受信されたときには（図４のステップＳ２０２：ＹＥＳ）、ＭＰＵ２０２では、ＤＲＡＭ２０３の容量が取得される（図４のステップＳ２０３）。その後、ユーザからの指示の入力が待機される。
【００４８】
ユーザによって、撮影モード、閃光発光の有無、画像データの圧縮率、撮影画像の画素数などが設定されると、それらの設定内容がＭＰＵ２０２に伝えられる。
【００４９】
ユーザによって設定された撮影画像の画素数よりもＣＣＤ１０２の画素数の方が大きいときには（図４のステップＳ２０４：ＹＥＳ）、ユーザによって設定された撮影画像の画素数と、ＤＲＡＭ２０３の容量とから、ＤＲＡＭ２０３に記録することができる、設定された画素数の撮影画像の記録可能枚数が算出される。この記録可能枚数が、設定された画素数の撮影画像における連写可能枚数となる（図４のステップＳ２０５）。算出された連写可能枚数は、ＬＣＤ２０６に表示される（図４のステップＳ２０６）。
【００５０】
また、ＣＣＤ１０２の画素数がユーザによって設定された撮影画像の画素数以下であったときには（図４のステップＳ２０４：ＮＯ）、ＣＣＤ１０２の画素数と、ＤＲＡＭ２０３の容量に基づいて、ＣＣＤ１０２の画素数の撮影画像における連写可能枚数が算出され（図４のステップＳ２０７）、ＬＣＤ２０６に連写可能枚数が表示される（図４のステップＳ２０８）。
【００５１】
ユーザは、ＬＣＤ２０６に表示された連写可能枚数を確認することによって、連写することができる撮影画像の枚数を認識することができる。
【００５２】
以上で、本発明の第２実施形態の説明を終了し、次に、本発明の第３実施形態の説明を行う。第３実施形態のカメラシステムは、第１実施形態および第２実施形態のカメラシステムほぼ同様な構成を有するため、同じ要素には同じ符号を付して説明を省略し、第１実施形態と第２実施形態との相違点についてのみ説明する。
【００５３】
図５は、本実施形態のカメラシステム２におけるカメラヘッド１１の外観図であり、図６は、本実施形態のカメラシステム２の内部構成図である。
【００５４】
図１に示すように、カメラシステム２におけるカメラヘッド１１には、文字などが表示されるＬＣＤ１０８が備えられている。このＬＣＤ１０８も、本発明にいう表示装置の一例に相当する。また、図２に示すように、カメラシステム２では、カメラヘッド１１にも、ＬＣＤ１０８と、ＬＣＤ１０８での表示を制御する表示制御部１０７とが備えられている。
【００５５】
第１実施形態のカメラシステム１では、ＬＣＤ２０６に記録可能枚数が表示されたが、本実施形態のカメラシステム２では、カメラヘッド１１のＬＣＤ１０８に記録可能枚数が表示される。
【００５６】
図７は、電源が投入されてから記録可能枚数が表示されるまでの一連の処理を示すフローチャートである。
【００５７】
図３のステップＳ１、およびステップＳ２と同様にして、カメラシステム１に電源が投入され（図７のステップＳ３０１）、ＣＣＤ情報がカメラヘッド１１からカメラ本体２０に送信される（図７のステップＳ３０２）。
【００５８】
カメラ本体２０のＭＰＵ２０２において、ＣＣＤ情報が受信されなかったときには（図７のステップＳ３０２：ＮＯ）、カメラ本体２０のＬＣＤ２０６に「ＣＣＤ情報受信エラー」と表示され（図７のステップＳ３１１，ステップＳ３１２）、カメラシステム１の電源が切られる（図７のステップＳ３１３）。
【００５９】
また、ＣＣＤ情報が受信されたときには（図７のステップＳ３０２：ＹＥＳ）、ＭＰＵ２０２は、記録メディア３０の残容量を取得する（図７のステップＳ３０３）。
【００６０】
記録メディア３０の残容量が取得されなかったときには（図７のステップＳ３０３：ＮＯ）、カメラ本体２０のＬＣＤ２０６に「メディア容量取得エラー」と表示され（図７のステップＳ３１１，ステップＳ３１２）、カメラシステム１の電源が切られる（図７のステップＳ３１３）。
【００６１】
記録メディア３０の残容量が取得されたときには（図７のステップＳ３０３：Ｙｅｓ）、ユーザからの指示の入力が待機される。
【００６２】
ＭＰＵ２０２は、ユーザによって設定された撮影画像の画素数よりもＣＣＤ１０２の画素数の方が大きいときには（図７のステップＳ３０４：ＹＥＳ）、図３のステップＳ１０５と同様にして、設定された画素数の撮影画像を表わす画像データが圧縮された圧縮後画像データにおける記録可能枚数を算出し（図７のステップＳ３０５）、記録可能枚数をカメラヘッド１１の表示制御部１０７に送信する（図７のステップＳ３０６）。表示制御部１０７で受信された記録可能枚数は、カメラヘッド１１のＬＣＤ１０８に表示される（図７のステップＳ３０７）。
【００６３】
また、ＣＣＤ１０２の画素数がユーザによって設定された撮影画像の画素数以下であったときには（図７のステップＳ３０４：ＮＯ）、図３のステップＳ１０８と同様にして、ＣＣＤ１０２の画素数の撮影画像を表わす画像データが圧縮された圧縮後画像データにおける記録可能枚数が算出され（図７のステップＳ３０８）、カメラヘッド１１に記録可能枚数が送られて（図７のステップＳ３０９）、カメラヘッド１１のＬＣＤ１０８に記録可能枚数が表示される（図７のステップＳ３１０）。
【００６４】
このように、カメラ本体２０のＬＣＤ２０６ではなく、カメラヘッド１１のＬＣＤ１０８に記録可能枚数や連写可能枚数などを表示してもよい。
【００６５】
以上で、本発明の第３実施形態の説明を終了し、次に、本発明の第４実施形態の説明を行う。第４実施形態のカメラシステム３も、第１実施形態、第２実施形態、および第３実施形態のカメラシステムとは、ほぼ同様な構成を有するため、同じ要素には同じ符号を付して説明を省略し、第１実施形態、第２実施形態、および第３実施形態との相違点についてのみ説明する。
【００６６】
図８は、本実施形態のカメラシステム３における内部構成図である。
【００６７】
本実施形態のカメラシステム３は、図６に示す第３実施形態のカメラシステム２とほぼ同様の構成を有するが、カメラヘッド１２、およびカメラ本体２１との相互間で無線通信を行うための無線通信装置１０９，２０８がそれぞれ備えられている。
【００６８】
第２実施形態のカメラシステムでは、カメラ本体２０のＬＣＤ２０６に連写可能枚数が表示されたが、本実施形態のカメラシステムでは、カメラヘッド１２のＬＣＤ１０８に連写可能枚数が表示される。
【００６９】
図９は、電源が投入されてから連写可能枚数が表示されるまでの一連の処理を示すフローチャートである。
【００７０】
カメラシステム１に電源が投入されると（図９のステップＳ４０１）、カメラヘッド１２のＥＥＰＲＯＭ１０６に記録されたＣＣＤ情報が、無線通信装置１０９から送信される。送信されたＣＣＤ情報は、カメラ本体２１の無線通信装置２０８で受信される（図９のステップＳ４０２）。
【００７１】
ＣＣＤ情報の送受信が失敗したときには（図９のステップＳ４１１：ＮＯ）、カメラ本体２１のＬＣＤ２０６に「ＣＣＤ情報受信エラー」と表示され（図９のステップＳ４１２，ステップＳ４１３）、カメラシステム１の電源が切られる（図９のステップＳ４１３）。
【００７２】
また、ＣＣＤ情報の送受信が成功したときには（図９のステップＳ４１１：ＹＥＳ）、ＭＰＵ２０２は、ＤＲＡＭ２０３の容量を取得する（図９のステップＳ４０３）。
【００７３】
ユーザによって、撮影モード、閃光発光の有無、画像データの圧縮率、撮影画像の画素数などが設定されると、それらの設定内容がＭＰＵ２０２に伝えられる。
【００７４】
ユーザによって設定された撮影画像の画素数よりもＣＣＤ１０２の画素数の方が大きいときには（図９のステップＳ４０４：ＹＥＳ）、ユーザによって設定された撮影画像の画素数と、ＤＲＡＭ２０３の容量とから、設定された画素数の撮影画像の連写可能枚数が算出される（図９のステップＳ４０５）。
【００７５】
算出された連写可能枚数は、カメラ本体２１の無線通信装置２０８から送信され、カメラヘッド１２の無線通信装置１０９で受信される（図９のステップＳ４０７）。受信された連写可能枚数は、カメラヘッド１２のＬＣＤ１０８に表示される（図９のステップＳ４０８）。
【００７６】
また、ＣＣＤ１０２の画素数がユーザによって設定された撮影画像の画素数以下であったときには（図９のステップＳ４０４：ＮＯ）、ＣＣＤ１０２の画素数と、ＤＲＡＭ２０３の容量に基づいて、ＣＣＤ１０２の画素数の撮影画像における連写可能枚数が算出される（図９のステップＳ４０８）。算出された連写可能枚数はカメラヘッド１２に送られ（図９のステップＳ４０９）、カメラヘッド１２のＬＣＤ１０８に連写可能枚数が表示される（図９のステップＳ４１０）。
【００７７】
このように、カメラヘッド１２とカメラ本体２１との間で無線によって通信を行うことによって、カメラヘッド１２を被写体近くに置き、カメラヘッド１２と離れた場所でカメラ本体２１を使って撮影を制御することができる。この場合、カメラヘッド１２側にもＬＣＤ１０８が設けられていることが好ましい。
【００７８】
ここで、上記では、撮像素子としてＣＣＤを備えたカメラシステムについて説明したが、本発明にいう撮像素子は、ＭＯＳなどであってもよい。
【００７９】
また、近年では、容器に収容された液体に電圧を印加し、その液面の形状等を変化させることによって光の屈折率を調節する液体レンズが開発されている。上記では、本発明にいう撮像光学系として通常のレンズを用いる例について説明したが、本発明にいう撮像光学系は、液体レンズなどであってもよい。この場合、「撮像光学系の駆動」とは、通常のレンズを光軸方向に移動させるのと等価な作用を行わせるように、液体に電圧を印加する作業などをいう。
【００８０】
また、上記では、ＬＣＤに記録可能枚数、あるいは連写可能枚数を表示する例について説明したが、本発明にいう表示装置は、記録可能枚数と連写可能枚数との両方を表示するものであってもよい。
【図面の簡単な説明】
【００８１】
【図１】本発明の一実施形態が適用されたカメラシステムの分解図である。
【図２】図１に示すカメラシステム１の内部構成図である。
【図３】電源が投入されてから記録可能枚数が表示されるまでの一連の処理を示すフローチャートである。
【図４】電源が投入されてから連写可能枚数が表示されるまでの一連の処理を示すフローチャートである。
【図５】第３実施形態のカメラシステム２におけるカメラヘッド１１の外観図である。
【図６】第３実施形態のカメラシステム２の内部構成図である。
【図７】電源が投入されてから記録可能枚数が表示されるまでの一連の処理を示すフローチャートである。
【図８】本実施形態のカメラシステム３における内部構成図である。
【図９】電源が投入されてから連写可能枚数が表示されるまでの一連の処理を示すフローチャートである。
【符号の説明】
【００８２】
１    カメラシステム
１０＿１，１０＿２，…，１０＿ｎ，１１，１２    カメラヘッド
２０，２１    カメラ本体
１０１    レンズ
１０１ａ    アイリス
１０２    ＣＣＤ
１０３    タイミングジェネレータ
１０４    Ａ／Ｄ変換部
１０５    電子ボリューム部
１０６    ＥＥＰＲＯＭ
１０６ａ    メモリコントローラ
１０７    表示制御部
１０８    ＬＣＤ
１０９    無線通信装置
２０１    信号処理部
２０２    ＭＰＵ
２０３    ＤＲＡＭ
２０４    表示制御部
２０５    ＥＥＰＲＯＭ
２０６    ＬＣＤ
２０７    メディアコネクタ
２０８    無線通信装置
【図１】
2006128933.tif 000003
【図２】
2006128933.tif 000004
【図３】
2006128933.tif 000005
【図４】
2006128933.tif 000006
【図５】
2006128933.tif 000007
【図６】
2006128933.tif 000008
【図７】
2006128933.tif 000009
【図８】
2006128933.tif 000010
【図９】
2006128933.tif 000011